(57)【特許請求の範囲】
【請求項１】
発電所・工場等の生産関連箇所のエリア毎に避難所への避難誘導径路図を避難径路情報記憶装置に予め記憶する避難径路情報記憶手段と、
発電所・工場等に設置されている設備に設けられ、前記設備の運転状態監視情報を出力するセンサと、
予め定められた計測項目毎に前記設備の運転状態監視情報の計測値の経時的変化を記憶する運転状態監視情報記憶手段と、
前記センサにより出力された前記設備の運転状態監視情報より予め定められた計測項目を計測し、この計測値の経時的変化を監視して前記運転状態監視情報記憶手段に記憶する運転状態監視手段と、
前記設備の安全な正常運転動作状態の情報が記憶された正常運転範囲データテーブルと、
前記運転状態監視情報記憶手段に記憶されている運転状態監視情報を連続的又は間欠的に読出し、正常運転範囲データテーブルの情報と照合して異常な経時変化の有無を検出する異常検出手段と、
設備の各計測項目について経時的変化の災害が発生する閾値が記憶された災害発生閾値テーブルと、
前記異常検出手段により異常が検出されたとき前記災害発生閾値テーブルの各測定項目の閾値を読出し、前記運転状態監視情報と照合することで災害か故障かを判定する災害・故障判定手段と、
前記災害・故障判定手段により、計測値の経時的変化から災害の発生と判定された場合、災害発生予測場所情報、災害の内容情報および災害の発生予測時刻情報から選ばれた少なくとも一つの情報を含む災害発生予測情報を出力する災害発生予測情報出力手段と、
各エリア毎の出入口に設けられ、各エリアへの人の出入りを監視する監視センサと、
前記災害発生予測情報を出力したとき安全な避難路を検索条件として前記監視センサによる監視で人が存在するエリアからの避難誘導径路図を、前記避難径路情報記憶装置から検索する避難径路図選択手段と、
検索された前記避難誘導径路図を該当エリアに報知する避難誘導情報報知手段と
を具備してなることを特徴とする発電所・工場等における避難誘導システム。
【発明の詳細な説明】
【０００１】
【発明の属する技術分野】
本発明は、最適な避難誘導情報を提供する発電所・工場等における避難誘導システムに関する。
【０００２】
【従来の技術】
従来、発電所・工場・化学プラント・備蓄基地など例えば化学工場における災害は、予期せぬときに突然発生し、後を絶たない。化学工場の事故には、業務中に限らず、休日において爆発事故が発生し、近隣の民家や商店などに大きな災害を発生させている。最近では爆発中の化学工場の近隣にガソリンスタンドが存在したりして戦争状態の大規模な火の海となった事故もあった。
【０００３】
このような事故における現在の避難誘導は、爆発発生後に非常ベルを鳴らし、施設内放送などにより災害を報知し、避難誘導させている。突然の爆発であるため、防災責任者もパニックとなり、安全を確認した避難案内はされていない。
【０００４】
【発明が解決しようとする課題】
しかしながら、避難先や災害情報は、災害発生時に防災センターから構内放送または文字表示により案内する方式であるため、避難時には、タイムリーに避難誘導されず、必ず犠牲者が発生している。災害発生時、防災センターは災害状況の把握や災害現場近隣の情報が無い為、安全な避難誘導をするための情報が無いという課題があった。特に、発電所・工場・化学プラント・備蓄基地などの関係者からは、危険物や危険ガスを取り扱っており二次災害防止の面からも「災害の予報」が強く望まれている。
【０００５】
本発明は、従来の問題を解決すべくなされたもので、発電所・工場・化学プラント・備蓄基地などの災害の発生を事前に予測して避難誘導させるようにした発電所・工場等における避難誘導システムを提供することを目的とする。
【０００６】
【課題を解決するための手段】
上記目的を達成するため、次の構成からなる発電所・工場等における避難誘導システムを提供するものである。
【０００７】
すなわち、本発明の発電所・工場等における避難誘導システムは、発電所・工場等の生産関連箇所のエリア毎に避難所への避難誘導径路図を避難径路情報記憶装置に予め記憶する避難径路情報記憶手段と、発電所・工場等に設置されている設備に設けられ、前記設備の運転状態監視情報を出力するセンサと、予め定められた計測項目毎に前記設備の運転状態監視情報の計測値の経時的変化を記憶する運転状態監視情報記憶手段と、前記センサにより出力された前記設備の運転状態監視情報より予め定められた計測項目を計測し、この計測値の経時的変化を監視して前記運転状態監視情報記憶手段に記憶する運転状態監視手段と、前記設備の安全な正常運転動作状態の情報が記憶された正常運転範囲データテーブルと、前記運転状態監視情報記憶手段に記憶されている運転状態監視情報を連続的又は間欠的に読出し、正常運転範囲データテーブルの情報と照合して異常な経時変化の有無を検出する異常検出手段と、設備の各計測項目について経時的変化の災害が発生する閾値が記憶された災害発生閾値テーブルと、前記異常検出手段により異常が検出されたとき前記災害発生閾値テーブルの各測定項目の閾値を読出し、前記運転状態監視情報と照合することで災害か故障かを判定する災害・故障判定手段と、前記災害・故障判定手段により、計測値の経時的変化から災害の発生と判定された場合、災害発生予測場所情報、災害の内容情報および災害の発生予測時刻情報から選ばれた少なくとも一つの情報を含む災害発生予測情報を出力する災害発生予測情報出力手段と、各エリア毎の出入口に設けられ、各エリアへの人の出入りを監視する監視センサと、前記災害発生予測情報を出力したとき安全な避難路を検索条件として前記監視センサによる監視で人が存在するエリアからの避難誘導径路図を、前記避難径路情報記憶装置から検索する避難径路図選択手段と、検索された前記避難誘導径路図を該当エリアに報知する避難誘導情報報知手段とを具備してなることを特徴とする。
【０００８】
本発明によれば、発電所、工場等の設備の物理的、化学的状態の計測値の経時的変化を監視し、災害か故障かを判定した上で、災害の場合に、人が存在するエリアからの避難誘導径路図を該当エリアへ報知するので、比較的余裕をもって最適な避難誘導径路図により避難誘導させることができる。
【００１２】
上記避難誘導システムにおいては、災害発生予測情報は場所、内容、時刻などであるので、各避難者は避難能力に応じた避難方法が選択できるため、身体障害者や病人などの弱者を救済した避難を考慮することができる。
【００１３】
上記避難誘導システムにおいては、災害発生予測情報を出力したとき予め定められた各エリアでの人の有無情報を確認し、「有り」のエリアから優先的に最適な避難誘導径路図を報知することを特徴とする。
【００１４】
また、災害発生予測情報を出力したとき人有りのエリアから優先的に最適な避難誘導径路図を報知するので、避難対象者は最先的に最適な避難誘導径路図を知ることができる。
【００１５】
上記避難誘導システムにおいては、災害発生予測情報を出力したとき、当該エリアでの災害発生の有無情報を確認し、「有り」の場合に最適避難径路情報を出力する。
【００１６】
これにより、災害発生予測地にいる人を確認し適切な最適避難径路情報を報知することができる。
【００２０】
上記避難誘導システムにおいては、避難誘導径路図は、予め定められた各エリアの障害有無情報を確認し、「無し」のエリアから選択される。
【００２１】
これにより、信頼性の高い避難誘導径路図の提供を受けることができる。
【００２２】
発電所・工場等における避難誘導システムは発電所、工場、化学プラント、原子炉、備蓄基地などの比較的災害が発生した場合、人災を伴う生産関連個所での災害時の避難誘導システムである。発電所、工場、化学プラント、原子炉、備蓄基地などとは、稼動中、待機中、工事中に物理的、化学的変化が発生して、火災や爆発、また危険ガスや放射能の流出などの災害が発生する可能性のある対象をいう。
【００２３】
災害時の避難誘導とは災害の発生を予告したとき、災害が発生したときの避難者に対する誘導である。災害の内容情報は計測値の経時的変化から災害の発生を予測したときの当該計測センサの取付け装置、機器、計測項目から予測される例えば火災、爆発、危険ガス漏れ、放射能漏れなどの災害と、その規模などの情報である。
【００２４】
【発明の実施の形態】
次に、本発明の発電所・工場等における避難誘導システムの実施形態について図１を参照して説明する。この実施形態は火力発電所を構成する各機器運転中の物理的、化学的計測項目を予め設定して、計測し、計測値を監視することにより異常動作の兆候を予測して、発電所内で働いている作業者など所員に最適避難誘導径路図情報を報知するようにした避難誘導システムである。
【００２５】
この避難誘導システム１は火力発電所２での発電中の予め定められた物理的、化学的計測項目を計測する各種センサ３と、各種センサ３出力の計測値を夫々収集して記憶する情報記憶装置４と、情報記憶装置４に記憶された各種センサ３出力の計測値を読出し、各種センサ３出力の経時的変化を運転状態監視情報として監視し、異常な経時的変化を示したとき、災害発生の可能性を予測する災害予測演算部５と、災害予測演算部５が計測値の経時的変化から災害の発生を予測したとき災害発生予測情報を出力する災害予測情報出力装置６と、災害予測情報出力装置６が災害予測情報を出力したとき予め定められた各エリア毎に最適な避難誘導径路図を、予め記憶された前記避難径路情報記憶装置７から自動的に検索して出力する最適避難誘導径路図の選択部８と、各エリア毎の検索された最適避難誘導径路図を各エリアに自動的に報知する避難誘導情報報知装置９と、避難誘導情報報知装置９が出力する各エリア１０の最適避難誘導径路図を発電所２内の各エリア１０に表示する表示装置１１とからなる。
【００２６】
火力発電所２は中央にタービン発電機１５が設置され、この周囲にタービン発電機１５を駆動、制御するための燃料である石油が収納されている燃料タンク１６、ボイラを介して煙を排気するするための煙突１７、タービン発電機１５が発電した電力を送配電する送・配電路の漏電時や短絡時など回路を遮断する遮断機が設置された開閉所１８、タービン発電機１５の運転状態を監視し、制御する発電機制御装置１４を構成する制御卓が設置された事務所１９、守衛所２０などが設置されている。さらに、火力発電所２内にはこれらの設備位置間を通行する自動車・人間用通路２１が敷設され、災害発生時火力発電所員が避難する安全な場所には避難所２２が設定され、この避難所２２に所員が避難するための案内の単位としてエリア１０が設けられている。火力発電所２はこのように設備されている。
【００２７】
この火力発電所２には災害を予測するために運転状態監視情報を出力する各種センサ３が設置されている。火力発電所２の運転状態監視情報は、例えば事務所１９内に設置された発電制御装置１４の制御卓において監視されている情報である。運転状態監視情報は、発電設備に装備された各種センサ３により出力された情報で、物理的、化学的計測項目としてたとえば発電電力、送電電流、送電電圧、タービン回転数、タービン温度、発電周波数、発電機回転数、発電機温度、燃料タンク内圧力、燃料タンク内温度、燃料の消費量などの計測値である。これらの運転状態監視情報は連続的または間欠的に情報記憶装置４に各計測年月日時刻情報と関連付けて記憶される。制御卓の監視情報で充分であれば、制御卓の監視情報が運転状態監視情報として利用される。運転状態監視情報は災害の発生を予想するための計測項目で、災害の発生や予想するために有効な項目であれば一項目でもよい。
【００２８】
各種センサ３は例えば圧力、温度、時間、湿度、流量、流速、粘度、電圧、電流、電力など各項目を測定し、電気信号に変換して出力する各センサである。圧力、流量、流速、粘度は圧電センサにより圧力値を電気信号で出力する。温度はサーミスタにより温度の変化を電気の変化で出力する。湿度は湿度センサにより計測される。
【００２９】
各エリア１０の各出入口には所員の出入を監視し、各エリア１０内に現在所員（人間）がいるか、いないかを判定するための出入監視センサ２５が設置されている。即ち、あるエリア１０において、例えば入所者が５人で出所者が３人であれば当該エリア１０には、入所者が存在すると出力し、人数は２人と出力する。各エリア１０の出入監視センサ２５の出力は、各エリア出入監視装置２６を介して人の有無判定部２７に供給され、人情報記憶装置２８には各エリア１０内での人の有無情報が監視年月日時刻情報、エリア名などに関連付けて記憶される。
【００３０】
各エリア１０の各種センサ３および出入監視センサ２５などの関係は、判り易くするために拡大図が図２に示されている。図２には監視装置２９例えばＩＴＶカメラが１機又は複数機各エリア１０内を監視できる台数設置されている。監視装置２９はエリア１０内に存在する装置や人間（所員）３０の状態を撮像し、出力する。装置から火災が発生した場合は、その火災の映像が、人間３０が避難を開始していればその避難の状態の映像が出力される。従って、監視装置２９は負傷して動けない人や身体障害者で動けない人などの現在位置の映像を出力する。このように動くことの出来ない人のいる場所が判ることは、救助において極めて有効である。各エリア１０に設けられた各監視装置２９の出力は、各エリア監視データ収集装置２３を介して情報記憶装置４に年月日時刻情報、エリア情報に関連付けて記憶される。
【００３１】
次に、災害予測について説明する。
災害予測演算部５は情報記憶装置４に記憶された各種センサ３出力の計測値を連続的又は間欠的（予め定められた期間）に読出し、各種センサ３出力の経時的変化を運転状態監視情報として監視し、異常な経時的変化を示したとき、予め記憶された災害発生の変化値と比較演算してＡＩ論理演算して災害発生の可能性を予測する。異常な経時的変化とは正常な運転状態での経時的変化と異なる勾配の大きい変化をいう。
【００３２】
災害予測演算部５は図３に示すような構成により運転状態の監視をし、異常を検出すると災害予測を出力する。次に、運転状態を監視して災害を予測する具体的実施例について図３を参照して説明する。予め各機器、各装置の安全な正常運転動作状態（条件）は、発電機動作正常運転範囲データテーブル３５に記憶される。情報記憶装置４に記憶された各種センサ３の計測値３６は、読み出されて順次発電機動作正常運転範囲データテーブル３５に記憶されている正常運転動作値と照合回路３７で照合し、予め定められた正常運転動作状態の計測値であれば正常状態である。
【００３３】
他方、照合回路３７が照合の結果、正常状態と異なる変化を示したとき、異常検出部３８は、異常な経時的変化の有無を検出する。異常検出部３８は経時的変化有を検出したとき異常と判断し、出力する。また、異常検出部３８は経時的変化無しを検出したとき正常運転と見なす出力をする。異常検出部３８が異常を出力したとき（計測値が経時変化を示したとき）、災害・故障判定部３９は、「故障」か、「災害の発生」かを次のようにして判定する。
【００３４】
「故障」か、「災害の発生」かを判定するために、災害発生閾値データテーブル４０には、各装置、各機器の各計測項目について多種多様な実験により求めた経時的変化の災害が発生する閾値が記憶されている。災害・故障判定部３９は災害発生閾値データテーブル４０から異常と判定した計測項目の閾値を読出し、照合回路４１で照合する。経時的変化は例えば勾配値情報で処理する。即ち、照合回路４１は照合の結果、異常値を計測した項目の勾配値が災害発生閾値データテーブル４０から読み出した閾値以上４２を出力すると、危険変化値と判定して災害の発生可能性有りの判定を出力する。
【００３５】
他方、照合回路４１は照合の結果、異常値を計測した項目の勾配値が災害発生閾値データテーブル４０から読み出した閾値以下４４を出力すると故障４５の判定を出力する。
【００３６】
故障４５の判定結果は火力発電所２の運転を停止４６させて、修理４７して終了する。災害となる可能性のある異常４５は、例えば図４に示すような特性曲線図から判定する。例えば横軸に時間軸、縦軸にたとえばタービン温度にしたグラフにより判定する。
【００３７】
このグラフには正常動作温度Ｎの変化が実線で示されている。正常動作を示す実線Ｎはスイッチオン後タービンの温度が常温から時間の経過により温度上昇し、定常運転時に予め設定された温度に到達すると動作温度を示し、安定な飽和特性を示しながら定常運転を継続する。このグラフにおいて一点鎖線は、タービンの正常運転最大温度Ｍを示す。
【００３８】
あるとき、温度検出センサ３の温度計測値が点線Ｇで示すように上昇を開始し、正常運転最大温度Ｍを超える速度で温度上昇していると判断したとき、災害が発生すると判定する。正常運転最大温度Ｍを超える速度で温度上昇し、かつ災害が発生する可能性があるとの判定は、点線Ｇの示す角度（勾配）即ち経時的変化から推論して予測する。点線Ｇの示す角度（勾配）即ち経時的変化値は、各装置の計測項目毎に予め多種多数の実験データを収集して災害発生（例えば火災の発生）の閾値として記憶される。点線Ｇの示す角度即ち経時的変化値は、災害発生閾値データテーブル４０に各装置、型名に関連付けて記憶される。
【００３９】
点線Ｇの示す角度（経時的変化）は、災害発生閾値データテーブル５１に記憶された当該装置の災害発生閾値データと照合回路５２で照合し、災害発生閾値以上であれば災害の発生可能性有りと判断して災害発生予測を出力する。災害発生閾値以下であれば、故障と判断して火力発電所２の発電を停止させ、修理する。これらの出力は当該装置名と関連付けて情報記憶装置４に記憶される。
【００４０】
点線Ｇの点Ｇ１は災害発生予測情報を出力するための計測値を得た時を示している。点Ｇ１より延長線Ｇ２はＡＩ論理演算により求めた予測線である。この予測線Ｇ２とタービンの正常運転最大温度Ｍとの交点の時刻Ｓが災害の発生予測時刻情報の目安である。このようにして災害予測情報出力装置６は事前に災害発生予測情報を出力する。災害発生予測情報は異常を計測したセンサからの災害発生予測場所情報や災害の内容情報、そして図４に示すグラフから災害の発生予測時刻情報などである。この実施例の災害の内容情報は計測値の経時的変化から災害の発生を予測したときの当該計測センサの取付け装置、機器、計測項目から予測される例えば火災、爆発などの災害と、その規模などの情報である。
【００４１】
次に、災害予測の報知について説明する。
災害予測情報装置６は情報記憶装置４からタービン発電機で災害の発生する可能性の予測情報を読出したとき、パソコン５５及び防災盤５６に表示すると同時に防災センタ５７を介して警察署・消防署などの官庁５８に報告する。さらに、災害予測情報装置６は各エリアの最適な避難誘導径路図を選択する最適避難誘導径路図の選択部８に出力する。
【００４２】
最適避難誘導径路図の選択部８は、災害の発生を予測されたエリア１０にいる所員３０が避難所２２へ避難するのに最適な案内図が示された避難誘導径路図を検索する。避難所２２へ避難するのに最適な建屋内の通路及び敷地内の道路には、危険なガス漏れや、工事中の道路など障害のない安全な避難路が選択条件として自動的に検索（選択）される。また、所員３０は状況判断により自分のパソコン５５を操作して最適避難誘導径路図の選択部８へ、直接アクセスして避難経路を選択することもできる。最適避難誘導径路図の選択部８は多数の避難誘導径路図が記憶収納された避難誘導径路装置７から避難誘導径路図パターンを順次読出し、予め定められた避難所２２までの最適避難誘導径路図を自動的に検索して出力する。最適避難誘導径路図は、パニック状態でも瞬時に誤りなく判断できるように例えば構内地図に避難する方向が記載された図である。最適避難誘導径路図の選択部８で選択された最適避難誘導径路図情報は、避難誘導情報報知装置９に入力される。避難所２２への避難通路及び道路は、監視カメラや光ファイバセンサなどにより通行が可能であることが確認された最新の情報である。
【００４３】
避難誘導径路記憶装置７には予め火力発電所２内の各エリア１０から避難所２２に避難するために考えられる多数の避難誘導径路図が、各エリア１０に関連付けて記憶収納されている。即ち、避難誘導径路記憶装置７には、予め各エリア１０から予め定められた避難所２２までの多数の避難誘導経路図が記憶されている。避難誘導経路は地図に現れている総ての道路及び建屋内の通路が対象であり、避難所２２に通ずる多種多様な道程である。
【００４４】
災害発生の予測は突然発生するため、常に最適避難誘導径路図が異なる、従って、最適避難誘導径路図の選択部８はそのときでの最適避難誘導径路図を選択する。さらに、最適避難誘導径路図は火力発電所２内の所員（人間）３０の存在するエリア１０から避難誘導径路記憶装置７を検索して選択することができるし、総てのエリア１０の所員３０が同時に最適避難誘導径路図を選択することもできる。即ち、災害発生予測情報を出力したとき、最適避難誘導径路図の選択部８は、当該エリアでの災害発生の有無を確認したのち最適避難径路図情報を出力する。また、最適な避難誘導径路図は予め定められた各エリア１０の監視装置２９が撮像する障害有無情報を確認し、障害無しのエリアから選択される。
【００４５】
最適避難誘導径路図の選択部８は各エリア１０の最適避難誘導径路図を避難誘導情報報知装置９に出力する。避難誘導情報報知装置９は各エリア１０に設けられている各表示装置１１を駆動する回路群である。各エリア１０の各表示装置１１には、避難所２２までの避難対象者である所員３０を案内するための最適誘導避難径路図が同時に表示される。各表示装置１１は案内表示として光学的表示手段と音響的表示手段とがある。
【００４６】
光学的表示手段は例えば電光表示板、ＬＥＤ配列の表示板、プラズマディスプレイ、カーナビゲーションなどである。音響的表示手段は例えば放送してスピーカからの音声により報知する。また、最適避難誘導径路図情報は、予め登録された情報端末例えばイントラネットやインターネットに接続されたパソコンや携帯電話にも出力される。避難誘導情報報知装置９にはこれらの表示手段を駆動するための駆動回路が用意されている。また、最適避難誘導径路図情報は、災害発生を予測されたエリア１０以外に迂回させることを目的として案内される。
【００４７】
人情報記憶装置２８には災害発生の予測を受けたエリア１０や、他のエリア１０に所員３０が居るかどうかの情報が記憶されている。この所員３０のいるエリア３０の情報は最適避難誘導径路図の選択部８に出力され、最適避難誘導径路図の選択部８は人間３０がいないエリア１０の情報を入手している。従って、最適避難誘導径路図の選択部８は所員３０のいるエリア１０から優先的に最適避難誘導径路図を検索することができる。
【００４８】
避難所２２には、避難者確認装置６０例えばＩＴＶカメラが設置され、避難した人数などを調査し、避難完了判定部６１で避難対象者の避難状況を確認できるようになっている。即ち、避難者確認装置６０は避難所２２に避難対象者（所員）３０が避難したかどうかの監視を行う。また、避難所２２に設けられた避難者確認装置６０は避難所２２への避難状況を監視して、避難完了判定部６１に「避難対象者中何人が避難したか」「避難対象者の全員が避難完了」などの避難情報を出力する。避難完了判定部６１は避難完了を確認すると、この避難完了情報は人情報記憶装置２８に記憶される。このようにして人情報記憶装置２８に記憶された避難完了情報は、避難状況の確認部６２により読み出されて消防署・警察署などの官庁５８に自動的に出力（報告）される。消防署・警察署などの官庁５８は災害予測が出力された後の避難対象者の避難状況を確認できるようになっている。
【００４９】
次に、火力発電所での避難誘導方法について図５のフローチャートを参照して説明する。図１〜４と同一部分については同一符号を付与して説明し、その詳細な説明を省略する。
準備工程としてデータベースを作成する。
【００５０】
防災センタ５７は避難誘導径路記憶装置７に各エリア１０から避難所２２までの多種多様の避難誘導径路図を各エリア１０に関連付けて蓄積する。防災センタ５７は避難径路に工事中、通行禁止道路・通路があれば都度、入力して避難径路図を修正して記憶する（Ｓ−１）。防災センタ５７は正常値データテーブル４０に火力発電所２を構成する各装置、機器の型名に相当する物理的、化学的各計測項目の正常動作範囲を設定し、各計測項目に関連付けて記憶する（Ｓ−２）。防災センタ５７は災害発生閾値データテーブル５１に火力発電所２を構成する各装置、機器の物理的、化学的各計測項目の災害が発生する経時的変化値を設定し、各計測項目に関連付けて記憶する（Ｓ−３）。このようにして準備工程を終了する。
【００５１】
次に、避難誘導システムの動作を開始する。
火力発電所２の発電中各種センサ３は火力発電所２を構成する各装置、機器の物理的、化学的各計測項目を自動的に監視し、計測し（Ｓ−４）、この計測値を運転状態監視情報として情報記憶装置４に記憶する（Ｓ−５）。災害予測演算部５は情報記憶装置４に記憶された各計測値を連続的又は間欠的に自動的に読出し、各計測項目毎に図４に示すようなグラフに計測値を自動的にプロットし、実線Ｎで動作する正常動作を確認する。
【００５２】
この正常動作の確認は正常値データテーブル４０から読み出した各計測項目の正常値と照合回路４２で照合することにより確認する（Ｓ−６）。この過程において、図４に点線Ｇで示すような経時的変化の有無を検出し、災害発生予想情報として記憶する（Ｓ−７）。経時的変化の無の場合は正常動作中と判定して発電動作を継続する（Ｓ−８）。災害発生予想情報には当該センサから災害発生の可能性が予想された装置（機器）名、エリア名、災害発生予想時間などが含まれる。
【００５３】
経時的変化の有りの場合、異常検出部４３は異常動作を出力する（Ｓ−９）。この異常有りの場合、災害・故障判定部４４は災害か、故障かの判定をする（Ｓ−１０）。即ち、災害・故障判定部４４は災害発生閾値データテーブル５１から経時的変化を示した計測項目の災害発生閾値を読出し、経時的変化値が読み出された災害発生閾値を超えていれば、危険変化値と判定して、災害が発生する可能性があるものとして災害発生予測情報を出力する。他方、経時的変化値が災害発生閾値を超えていなければ故障と判定した出力をする（Ｓ−１１）。
【００５４】
災害・故障判定部４４が故障と判定した場合、発電制御装置１４は火力発電所２の発電動作を停止４６させて修理４７をした（Ｓ−１２）後、火力発電を再開する。
【００５５】
災害・故障判定部４４が災害発生の可能性有りと判定した場合、災害予測情報出力部６は最適避難誘導径路図の選択部８に災害発生の可能性の有る装置名およびこの装置が設置されているエリア名などの災害の内容情報を出力する（Ｓ−１３）。さらに、人情報記憶装置２８は最適避難誘導径路図の選択部８に所員３０のいるエリア１０情報を出力する。最適避難誘導径路図の選択部８は各エリア１０から避難所２２に避難するのに最適避難誘導径路図を検索して避難誘導情報報知装置９に出力する。
【００５６】
即ち、最適避難誘導径路図の選択部８は災害発生の可能性の有る装置名およびこの装置が設置されているエリア１０にいる所員３０に対し最適避難誘導径路図を避難誘導径路図記憶装置７から検索すると、ともに他の各エリア１０から避難所２２に避難するのに最適な避難誘導径路図を避難誘導径路図記憶装置７から検索し出力する。最適避難誘導径路図の選択部８は所員３０のいるエリア１０に対して優先的に最適避難誘導径路図を出力することができる。最適避難誘導径路図の選択部８は災害発生予測情報を出力したとき、監視装置２９からの当該エリアでの災害発生の有無を確認したのち最適避難径路図情報を出力する（Ｓ−１４）避難誘導情報報知装置９は各エリア１０に設けられている各表示装置１１の駆動回路を介して各表示装置１１に最適避難誘導径路図を表示する（Ｓ−１５）。避難誘導情報報知装置９はエリア１０以外の火力変電所２の外にいる人へも報知することができる。
【００５７】
各エリア１０にいる避難対象者は、表示された最適避難誘導径路図を確認したのち避難所２２に避難する。この避難の状態は避難者確認装置６０により監視され（Ｓ−１６）、身体障害者など自力で避難できない所員３０がいる場合、警察署・消防署などの官庁５８は、人情報記憶装置２８の情報をもとに当該エリア１０に行き救済を円滑に行うことができる。これらの避難状況は避難状況確認部６２により確認され、避難完了が確認される（Ｓ−１７）。
【００５８】
上記実施例において、災害・故障判定部４４は図４から明らかなように横軸が時間軸であるから災害又は故障が発生する時期を予想として出力することができる。この場合は、避難の緊急性や時間的ゆとりをもった避難など区別して出力することができる。災害又は故障が発生する時期の情報としては、例えば約何分後、約何時間後、約何日後、約何ヵ月後、緊急、出来る限りすみやかになどの情報である。この情報は予め記憶しておき、選択して音声合成により出力できる。
【００５９】
上記実施形態は火力発電所の災害時避難誘導システムに適用した実施例について説明したが、工場・化学プラント・備蓄基地などでの温度、圧力、流量、流速などの物理的、化学的データを監視することにより化学工場の災害時避難誘導するシステムや石油タンクなどの備蓄場の災害を予想し避難誘導するシステムなどに適用でき、同様な効果を得ることができる。
【００６０】
上記実施形態によれば、発電所・工場・化学プラント・備蓄基地などでの災害の発生を予測できるので、比較的ゆとりをもって避難することができる。さらに、災害の発生予想時間を報知することができるので、瞬時と、他の弱者を支援しながらの避難をすることができる。
【００６１】
【発明の効果】
この発明によれば、発電所・工場・化学プラント・備蓄基地などの災害発生を事前に予測して避難誘導させることができる。
【図面の簡単な説明】
【図１】本発明の発電所・工場等における避難誘導システムの実施形態を説明するためのシステム構成図。
【図２】図１の各エリアの構成を拡大して示す説明図。
【図３】図１の災害予測演算部の実施例を説明するための回路構成図。
【図４】図３の災害発生可能性有りを予測するプロセスの実施例を説明するための時間軸に対するタービン温度の関係を示す特性曲線図。
【図５】本発明の避難誘導方法の実施例を説明するためのフローチャート。
【符号の説明】
１…避難誘導システム、２…火力発電所、３…各種センサ、４…情報記憶装置、５…災害予測演算部、６…災害予測情報出力装置、７…避難径路情報記憶装置、８…最適避難誘導径路図の選択部、９…避難誘導情報報知装置、１０…エリア、１１…表示装置、１４…発電制御装置、１５…タービン発電機、１６…燃料タンク、１７…煙突、１８…開閉所、１９…事務所、２０…守衛所、２１…通路、２２…避難所、２３…各エリア監視データ収集装置、２５…出入監視センサ、２６…各エリア出入監視装置、２７…人の有無判定部、２８…人情報記憶装置、２９…監視装置、３０…人間、３５…正常運転範囲データテーブル、３６…計測値、３７，４１…照合回路、３８…異常検出部、３９…災害・故障検出部、４０…災害発生閾値データテーブル、４２…閾値以上、４３…災害発生可能性あり、４４…閾値以下、４５…故障、４６…停止、４７…修理、５５…パソコン、５６…防災盤、５７…防災センタ、５８…消防署・警察署などの官庁、６０…避難確認装置、６１避難完了判定部、５２…避難状況の確認部。
【図１】
0003593097.tif 000002
【図２】
0003593097.tif 000003
【図３】
0003593097.tif 000004
【図４】
0003593097.tif 000005
【図５】
0003593097.tif 000006